(57)【要約】      （修正有）【課題】種々の生理用ナプキンが装着可能で、そのズレの発生の頻度を極めて低くした清潔な生理用ショーツを提供する。【解決手段】ショーツの股布部４の内側に、生理用ナプキン装着用の股布片５を有する生理用ショーツであって、上記股布片５の幅方向の中心部が、股布片５の長さ方向の全域に亘って、股布部４の内側に固定されている構成とする。種々の生理用ナプキンが容易に装着可能であるにも拘わらず、股布片５の幅方向の中心部を、例えば熱融着テープ６により股布部４の内側に接着することで、股布部４と股布片５のズレの発生を抑えて、それにより股布片５に装着された生理用ナプキンのズレの発生を抑えた。【選択図】図３
0003188436.tif 000002
【実用新案登録請求の範囲】
【請求項１】
ショーツの股布部の内側に、生理用ナプキン装着用の股布片を有する生理用ショーツであって、
上記股布片の幅方向の中心部が、股布片の長さ方向の全域に亘って、股布部の内側に固定されていることを特徴とする生理用ショーツ。
【請求項２】
上記股布片が、ウレタン系の熱融着テープで接着されていることを特徴とする請求項１に記載の生理用ショーツ。
【請求項３】
上記股布片の後側に、パイル地が設けられていることを特徴とする請求項１又は請求項２に記載の生理用ショーツ。
【考案の詳細な説明】
【技術分野】
【０００１】
本考案は、生理用ナプキンが装着可能な生理用ショーツに関するものである。
【背景技術】
【０００２】
従来の生理用ショーツは、股布部の内側に別途股布片を設け、その股布片に生理用ナプキンの羽根部を折り込んで、該羽根部により股布片を挟持させて止着することで、生理用ナプキンを装着できるようにしている。
【０００３】
しかしながら、生理用ナプキンは、メーカーによって羽根部の位置が前後しており、それら種々の生理用ナプキンを装着可能とするため、従来の生理用ショーツは、股布片の前後両端部のみが股布部の内側に接着されているだけなので、股布片と股布部にズレが生じ、それに伴い、該股布片に装着した生理用ナプキンが前後左右にズレてしまうという問題があった。
【０００４】
このような問題に対処するため、前身頃、後身頃及びこれらの間に位置する股下部からなり、吸収性物品が固定されて着用される生理用ショーツにおいて、前記股下部に、該股下部よりも幅狭の板状の保形片が配されている生理用ショーツが提案されている（特許文献１）。
【０００５】
上記特許文献１の生理用ショーツは、着用者の股間部に対応する位置に幅狭の保形片を配することで、保形片が股間部に密着して、その間に位置する生理用ナプキンのズレを防止するようにしたものである。
【先行技術文献】
【特許文献】
【０００６】
【特許文献１】特開２００３−１６４４８８号公報
【考案の概要】
【考案が解決しようとする課題】
【０００７】
しかしながら、上記特許文献１の生理用ショーツは、保形片が股間部に密着することで、生理用ナプキンのズレを防止できるとは言うものの、保形片が配されている股下布はショーツ本体（前身頃、後身頃）と前後端のみで縫合されているため、不安定となり、動いた際に保形片が股間部より離れたりすることがあり、生理用ナプキンのズレを完全に防止することはできなかった。また、股下布はショーツ本体（前身頃、後身頃）と前後端が縫合されているため、羽根部が大きな生理用ナプキンを装着することが困難であった。また、保形片が着用者の股間部に密着するため、生理用ナプキンの保形片部分に汚れが集中的に付着してしまうという新たな問題も発生した。
【０００８】
本考案は上記の問題に鑑みてなされたもので、その解決しようとする課題は、種々の生理用ナプキンが容易に装着可能で、そのズレの発生の頻度を極めて低くした衛生的に優れる生理用ショーツを提供することにある。
【課題を解決するための手段】
【０００９】
上記目的を達成するため、本考案に係る生理用ショーツは、ショーツの股布部の内側に、生理用ナプキン装着用の股布片を有する生理用ショーツであって、上記股布片の幅方向の中心部が、股布片の長さ方向の全域に亘って、股布部の内側に固定されていることを特徴とするものである。
【００１０】
本考案の生理用ショーツにおいては、上記股布片が、ウレタン系の熱融着テープで接着されていることが好ましく、上記股布片の後側に、パイル地が設けられている生理用ショーツも好ましい態様である。
【考案の効果】
【００１１】
本考案の生理用ショーツは、股布片の幅方向の中心部を股布部の内側（裏側）に固定（例えば接着、縫合等）することで、股布片と股布部にズレが生じることがなくなる。このように股布片がズレることなく股布部に固定されていると、その股布片に生理用ナプキンを装着しても、生理用ナプキンがズレたりヨレたりする心配は殆どなくなる。また、股布片は、その幅方向の中心部のみが接着されているだけで、左右両側部分は従来と同様に固定されていないので、市販されている種々の生理用ナプキンを装着することができ、汎用性が極めて高い。
【００１２】
また、上記股布片が、ウレタン系の熱融着テープで接着されている生理用ショーツのように、伸縮するウレタン系の熱融着テープで股布片を接着すると、着用者の動きを妨げることがなくなる。
【００１３】
更に、上記股布片の後側に、パイル地が設けられている生理用ショーツは、履き心地が向上するだけでなく、就寝時など特に液量が多くて、生理用ナプキンだけでは吸収しきれないときでも、その後側に設けられたパイル地が吸収してくれる。
【図面の簡単な説明】
【００１４】
【図１】本発明の一実施形態に係る生理用ショーツを示す正面図である。
【図２】同ショーツを示すものであって、（ａ）は裏返した状態の正面図、（ｂ）は裏返した状態の背面図である。
【図３】同ショーツの股布部を平面視した概略平面図である。
【図４】図３のＡ−Ａ線端面図である。
【図５】同ショーツに生理用ナプキンを装着した時の概略断面図である。
【図６】本発明の他の実施形態に係る生理用ショーツの裏返した状態を示す背面図である。
【考案を実施するための形態】
【００１５】
以下、図面を参照して本考案の具体的な実施形態を詳述する。
【００１６】
図１に示す本考案の生理用ショーツ１は、図５に示すように、生理用ナプキン８やパンティライナー（不図示）などを装着して着用されるものであり、前身頃２と、後身頃３と、前身頃２と後身頃３との間に位置する股布部４からなる。
【００１７】
本実施形態の生理用ショーツ１は、図２の（ａ）に示すように、前身頃２と股布部４は一枚の布から構成（ここでは便宜上その境界を仮想線で示している）されており、図２の（ｂ）に示すように、股布部４の後端と後身頃３の下端、及び、前身頃２の左右両端と後身頃３の左右両側が縫合されて一体化されている。なお、従来品と同様に前身頃２と股布部４が別布で、図２の仮想線部分で縫合されていてもよく、かかる態様も当然に本考案の技術的範囲に含まれる。この生理用ショーツ１は、肌触りが良く、通気性や吸湿性が高い綿を主体とする素材で形成することが好ましく、着用者のフィット性を高める観点から、縦横方向に伸縮性を有する伸縮素材（例えば綿を主体としポリウレタン繊維等のエラストマー繊維を少量含んでいる生地）で構成されていることがより好ましい。
【００１８】
そして、図３、図５に示すように、上記生理用ショーツ１の股布部４の内側（裏側）には、生理用ナプキン８を装着するための股布片５が設けられている。この股布片５は、前後両端部が円弧状に形成された、股布部４よりも若干幅狭のシート体で、本実施形態では、大きい（長い）生理用ナプキン８でも装着できるように、股布部４だけでなく、前身頃２と後身頃３の下端部まで達するように設けられている。この股布片５を構成する素材は、特に限定されるものではないが、防水性を有する生地などが好適に用いられる。
【００１９】
上記股布片５は、図２、図３に示すように、その幅方向の中心部が、股布片５の長さ方向の全域に亘って、股布部４の内側（裏側）に接着されていると共に、股布片５の後端部（後身頃３側）も同様に接着されている。従来の生理用ショーツは、種々の生理用ナプキンを装着できるようにするため、股布片は、その前後両端部のみが股布部に接着されて、その他の部分は接着されていなかったが、そのようにすると、動いたりした際に股布部４と股布片５にズレが生じ、それに伴い股布片に装着された生理用ナプキンと着用者の股間部にもズレが生じて、液漏れの原因ともなっていた。そこで本考案は、股布片５の幅方向の中心部を接着することで、股布部４と股布片５のズレの発生を抑えて、液漏れを最小限に抑えるようにしている。尚、図中では、接着箇所をわかりやすくするため色付けしているが、実際この接着箇所は目に見えるものではない。
【００２０】
上記股布片５は、図４に示すように、ウレタン系の熱融着テープ６によって股布部４に接着（熱融着）されている。この股布片５は、縫製により股布部４に接着することも可能であるが、本実施形態のように、ウレタン系の熱融着テープ６で熱融着すると、伸縮性が付与されて着用者の動きを妨げることがなくなり、着用者の動きにも追従するように伸縮するので、運動時にも液漏れせずに使用することができる。熱融着テープ６は、１〜２ｃｍ程度の幅のものが用いられており、これを股布片５の幅方向の中心部及び後端部に密着させ、その上からアイロン等で熱融着させて股布部４に接着している。なお、ウレタン系熱融着テープの他に布用接着剤を使用してもよく、かかる態様も当然に本考案の技術的範囲に含まれる。
【００２１】
上記のように、股布片５の幅方向の中心部及び後端部を股布部４に接着すると、股布部４に対しての股布片５の前後左右の動きが規制され、股布片５と股布部４にズレが生じることがなくなる。このように股布片５がズレることなく股布部４に接着されていると、その股布片５に生理用ナプキン８を装着しても、生理用ナプキン８がズレたりヨレたりする心配は殆どなくなる。また、股布片５は、その幅方向の中心部と後端部のみが接着されており、左右両側は接着されていないので、従来の生理用ショーツと同様に、生理用ナプキン８の羽根部８ａ，８ａを股布片５側に折り込んで止着することで、容易に装着することもできる。
【００２２】
図６は本発明の他の実施形態に係る生理用ショーツの裏返した状態を示す背面図である。
【００２３】
図６に示す実施形態の生理用ショーツ１は、上記股布片５の後側の後身頃３の裏側（裏地）に、パイル地７を設けたものである。このパイル地７は、繊維が生地の表面にループ状に出たタオル素材であって、縫合或いは接着により後身頃３に一体化されている。
本実施形態の生理用ショーツ１のその他の構成は、前述した図１〜図５に示す生理用ショーツ１と同様であるので、同一部材に同一符号を附して説明を省略する。
【００２４】
この股布片５の後側にパイル地７を設けた生理用ショーツ１は、吸汗性、乾燥性に優れ、衛生的であると共に履き心地にも優れるので、就寝時など特に液量が多くて、生理用ナプキン８だけでは吸収しきれないときでも、その後側に設けられたパイル地が吸収してくれるので、特に夜に着用するのに向いたショーツである。
【００２５】
以上の説明から明らかなように、本考案の生理用ショーツ１は、従来の生理用ショーツと同様に、種々の生理用ナプキン８が容易に装着可能であるにも拘わらず、股布片５の幅方向の中心部を、熱融着テープ６により股布部４の内側に接着することで、股布部４と股布片５のズレの発生を抑えて、それにより股布片５に装着された生理用ナプキン８のズレの発生を極力抑えることができるものである。また、従来のように、股間部の一部分のみが股布片５と密着することがないので、汚れが一点に付着しにくく衛生的である。
【符号の説明】
【００２６】
１    生理用ショーツ
２    前身頃
３    後身頃
４    股布部
５    股布片
６    熱融着テープ
７    パイル地
８    生理用ナプキン
８ａ  羽根部
【図１】
0003188436.tif 000003
【図２】
0003188436.tif 000004
【図３】
0003188436.tif 000005
【図４】
0003188436.tif 000006
【図５】
0003188436.tif 000007
【図６】
0003188436.tif 000008